【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
血管系の複数の血管の幾何学的表現を用いて血管分析を行う方法であって、
前記方法は、
前記幾何学的表現に基づいて前記血管系の一部分の境界を計算することと、
前記境界内の前記幾何学的表現を複数の領域に論理的に分割することと、
前記境界内の前記複数の領域のそれぞれについて、少なくとも１つのフィーチャを分析することと
を含む、方法。
【請求項２】
前記幾何学的表現を論理的に分割することは、前記境界内の前記幾何学的表現の少なくとも一部分を複数のキューブに分割することを含み、分析することは、前記複数のキューブのそれぞれについて、少なくとも１つのフィーチャを分析することを含む、請求項１に記載の方法。
【請求項３】
前記幾何学的表現を論理的に分割することは、複数のシェルを規定することであって、前記複数のシェルのそれぞれは、前記境界からの各距離範囲を規定し、対応するシェルの各範囲内の前記境界からの距離を有する前記境界内の位置を含む、ことを含み、分析することは、前記複数のシェルのそれぞれについて、前記少なくとも１つのフィーチャを分析することを含む、請求項１または２に記載の方法。
【請求項４】
分析することは、前記複数の領域のそれぞれについて、少なくとも１つの血管密度値、少なくとも１つの血管分岐値、少なくとも１つの血管曲率値、少なくとも１つの血管屈曲度値、少なくとも１つの血管方位値および／または少なくとも１つの血管長さ値を計算することを含む、請求項１、２または３に記載の方法。
【請求項５】
分析することは、指定された範囲内の血管直径の血管に対する複数の領域のそれぞれについて、前記少なくとも１つのフィーチャに対する少なくとも１つの値を計算することを含む、請求項１〜４のいずれか一項に記載の方法。
【請求項６】
分析することは、前記複数の領域のそれぞれについて、少なくとも１つの血管密度値を計算することを含み、前記方法は、前記少なくとも１つの血管密度値のそれぞれが、第１の閾値を超える場合に、前記複数の領域のそれぞれをホットスポットとして示すことをさらに含む、請求項１〜５のいずれか一項に記載の方法。
【請求項７】
前記血管系の前記部分の前記境界を計算することは、前記複数の領域のそれぞれの内部で決定された少なくとも１つのフィーチャに少なくとも部分的に基づいており、前記境界は、前記血管系の前記部分の内側と外側との間の分離線を規定する体積を形成する、請求項１〜６のいずれか一項に記載の方法。
【請求項８】
血管系の複数の血管の幾何学的表現を用いて血管分析を行うための装置であって、
前記装置は、
前記幾何学的表現を格納するための少なくとも１つの格納媒体と、
前記幾何学的表現を処理するための前記少なくとも１つの格納媒体にアクセスすることが可能な少なくとも１つのコンピュータであって、前記少なくとも１つのコンピュータは、
前記幾何学的表現に基づいて前記血管系の一部分の境界を計算することと、
前記境界内の前記幾何学的表現を複数の領域に論理的に分割することと、
前記境界内の前記複数の領域のそれぞれについて、少なくとも１つのフィーチャを分析することと
を行うようにプログラムされている、少なくとも１つのコンピュータと
を含む、装置。
【請求項９】
前記少なくとも１つのコンピュータは、前記境界内の前記幾何学的表現の少なくとも一部分を複数のキューブに論理的に分割することと、前記複数のキューブのそれぞれについて、少なくとも１つのフィーチャを分析することとを行うようにプログラムされている、請求項８に記載の装置。
【請求項１０】
前記少なくとも１つのコンピュータは、複数のシェルを規定することであって、前記複数のシェルのそれぞれは、前記境界からの各距離範囲を規定し、対応するシェルの各範囲内の前記境界からの距離を有する前記境界内の位置を含む、ことと、前記複数のシェルのそれぞれについて、少なくとも１つのフィーチャを分析することとを行うようにプログラムされている、請求項８または９に記載の装置。
【請求項１１】
前記少なくとも１つのコンピュータは、前記複数の領域のそれぞれについて、少なくとも１つの血管密度値、少なくとも１つの血管分岐値、少なくとも１つの血管曲率値、少なくとも１つの血管屈曲度値、少なくとも１つの血管方位値および／または少なくとも１つの血管長さ値を計算するようにプログラムされている、請求項８、９または１０に記載の装置。
【請求項１２】
前記少なくとも１つのコンピュータは、指定された範囲内の血管直径の血管に対する複数の領域のそれぞれについて、前記少なくとも１つのフィーチャに対する少なくとも１つの値を計算するようにプログラムされている、請求項８〜１１のいずれか一項に記載の装置。
【請求項１３】
前記少なくとも１つのコンピュータは、前記複数の領域のそれぞれについて、少なくとも１つの血管密度値を計算することと、前記少なくとも１つの血管密度値のそれぞれが、第１の閾値を超える場合に、前記複数の領域のそれぞれをホットスポットとして示すこととを行うようにプログラムされている、請求項８〜１２のいずれか一項に記載の装置。
【請求項１４】
前記少なくとも１つのコンピュータは、前記複数の領域のそれぞれの内部で決定された少なくとも１つのフィーチャに少なくとも部分的に基づいて、前記血管系の前記部分の前記境界を計算するようにプログラムされており、前記境界は、前記血管系の前記部分の内側と外側との間の分離線を規定する体積を形成する、請求項８〜１３のいずれか一項に記載の装置。
【請求項１５】
少なくとも１つのプロセッサ上で実行された場合に請求項１〜７のいずれか一項に記載の方法を実行する命令によってエンコードされた少なくとも１つのコンピュータ読み出し可能な媒体。
【手続補正２】
【補正対象書類名】明細書
【補正対象項目名】００２７
【補正方法】変更
【補正の内容】
【００２７】
いくつかの実施形態は、血管系の複数の血管の幾何学的表現を用いて血管分析を行う装置を含む。前記装置は、前記幾何学的表現を記憶する、少なくとも１つの記憶媒体と、前記少なくとも１つの記憶媒体にアクセスして前記幾何学的表現を処理することが可能な少なくとも１つのコンピュータとを含む。前記少なくとも１つのコンピュータは、前記幾何学的表現に基づいて前記血管系の一部の境界を計算し、前記境界内の前記幾何学的表現を複数の領域に論理的に分割し、前記境界内の前記複数の領域それぞれについて、少なくとも１つのフィーチャを分析するように、プログラムされる。
本発明は、例えば、以下を提供する。
（項目１）
血管系の一部の境界を特定する方法であって、上記血管系は、複数の血管の幾何学的表現を含み、
上記幾何学的表現を複数の領域に論理的に分割するステップと、
上記複数の領域それぞれの内部の少なくとも１つのフィーチャを決定するステップと、
上記複数の領域それぞれの内部において決定された上記少なくとも１つのフィーチャに少なくとも部分的に基づいて上記血管系の上記部分の境界を規定するステップであって、上記境界は、上記血管系の上記部分の内側と外側との間の分離線を規定する体積を形成する．ステップと、
を含む、方法。
（項目２）
上記複数の領域それぞれについて上記少なくとも１つのフィーチャの１つ以上の値を計算するステップと、上記１つ以上の値と、指定基準とを比較するステップとをさらに含む、項目１に記載の方法。
（項目３）
上記複数の領域のうち、上記指定基準を満たすものをそれぞれ特定するステップをさらに含む、項目２に記載の方法。
（項目４）
上記複数の領域のうち、上記指定基準を満たすものとして特定されたものそれぞれに対して少なくとも１つのスカラー値を割り当てるステップと、上記複数の領域のうち、上記指定基準を満たさないものそれぞれに少なくとも１つの異なるスカラー値を割り当てて、上記少なくとも１つのフィーチャに基づいた上記幾何学的表現からスカラー場表現を生成するステップとをさらに含む、項目３に記載の方法。
（項目５）
上記境界を特定するステップは、上記スカラー場表現上の初期境界を初期化するステップと、上記血管系の上記部分の境界を示す最終境界に到着するような関数に従って、上記初期境界を展開するステップとを含む、項目４に記載の方法。
（項目６）
上記最終境界は、上記血管系の上記部分の境界の幾何学的表現を決定するように分析される、項目５に記載の方法。
（項目７）
上記１つ以上の値は、上記少なくとも１つのフィーチャの密度を示す少なくとも１つの値を含み、上記基準は密度閾値を含む、項目２に記載の方法。
（項目８）
上記少なくとも１つのフィーチャは、血管密度および／または分岐密度を含む、項目７に記載の方法。
（項目９）
上記１つ以上の値は、血管曲率、血管屈曲度および／または血管方位のうち１つ以上の尺度を含む、項目２に記載の方法。
（項目１０）
上記血管系の上記部分は、腫瘍血管系、器官血管系または器官の領域の血管系を含む、項目１に記載の方法。
（項目１１）
命令でコードされた、コンピュータによる読み出しが可能な少なくとも１つの媒体であって、上記命令は、少なくとも１つのプロセッサによって実行されると、血管系の一部の境界を特定する方法を行い、上記血管系は、複数の血管の幾何学的表現を含み、上記方法は、
上記幾何学的表現を複数の領域に論理的に分割するステップと、
上記複数の領域それぞれの内部の少なくとも１つのフィーチャを決定するステップと、
上記複数の領域それぞれの内部において決定された上記少なくとも１つのフィーチャに少なくとも部分的に基づいて上記血管系の上記部分の境界を規定するステップであって、上記境界は、上記血管系の上記部分の内側と外側との間の分離線を規定する体積を形成する、ステップと、
を含む、コンピュータによる読み出しが可能な少なくとも１つの媒体。
（項目１２）
上記複数の領域それぞれについて、上記少なくとも１つのフィーチャの１つ以上の値を計算するステップと、上記１つ以上の値と、指定基準とを比較するステップとをさらに含む、項目１１に記載の、コンピュータによる読み出しが可能な少なくとも１つの媒体
（項目１３）
上記複数の領域のうち、上記指定基準を満たすものをそれぞれ特定するステップをさらに含む項目１２に記載の、コンピュータによる読み出しが可能な少なくとも１つの媒体
（項目１４）
上記複数の領域のうち、上記指定基準を満たすものとして特定されたものそれぞれに対して少なくとも１つのスカラー値を割り当てるステップと、上記複数の領域のうち、上記指定基準を満たさないものそれぞれに少なくとも１つの異なるスカラー値を割り当てて、上記少なくとも１つのフィーチャに基づいた上記幾何学的表現からスカラー場表現を生成するステップとをさらに含む、項目１３に記載の、コンピュータによる読み出しが可能な少なくとも１つの媒体
（項目１５）
上記境界を特定するステップは、上記スカラー場表現上の初期境界を初期化するステップと、上記血管系の上記部分の境界を示す最終境界に到着するような関数に従って、上記初期境界を展開するステップとを含む、項目１４に記載の、コンピュータによる読み出しが可能な少なくとも１つの媒体
（項目１６）
上記最終境界は、上記血管系の上記部分の境界の幾何学的表現を決定するように分析される、項目１５に記載の、コンピュータによる読み出しが可能な少なくとも１つの媒体
（項目１７）
上記１つ以上の値は、上記少なくとも１つのフィーチャの密度を示す少なくとも１つの値を含み、上記基準は密度閾値を含む、項目１２に記載の、コンピュータによる読み出しが可能な少なくとも１つの媒体
（項目１８）
上記少なくとも１つのフィーチャは、血管密度および／または分岐密度を含む、項目１７に記載の、コンピュータによる読み出しが可能な少なくとも１つの媒体
（項目１９）
上記１つ以上の値は、血管曲率、血管屈曲度および／または血管方位のうち１つ以上の尺度を含む、項目１２に記載の、コンピュータによる読み出しが可能な少なくとも１つの媒体
（項目２０）
上記血管系の上記部分は、腫瘍血管系、器官血管系または器官の領域の血管系を含む、項目１２に記載の、コンピュータによる読み出しが可能な少なくとも１つの媒体
（項目２１）
血管系の一部の境界を特定する装置であって、上記血管系は、複数の血管の幾何学的表現を含み、上記方法は、
上記幾何学的表現を記憶する少なくとも１つの記憶媒体と、
上記少なくとも１つの記憶媒体にアクセスして上記幾何学的表現を得ることが可能な少なくとも１つのコンピュータであって、上記少なくとも１つのコンピュータは、
上記幾何学的表現を複数の領域に論理的に分割するステップと、
上記複数の領域それぞれの内部において、少なくとも１つのフィーチャを決定するステップと、
上記複数の領域それぞれの内部において決定された上記少なくとも１つのフィーチャに少なくとも部分的に基づいて、上記血管系の上記部分の境界を規定するステップであって、上記境界は、上記血管系の上記部分の内側と外側との間の分離線を規定する体積を形成する、ステップと、
を行うようにプログラムされる、少なくとも１つのコンピュータと、
を含む、装置。
（項目２２）
上記少なくとも１つのコンピュータは、上記複数の領域それぞれについて、上記少なくとも１つのフィーチャの１つ以上の値を計算し、上記１つ以上の値を指定基準と比較するようにプログラムされる、項目２１に記載の装置。
（項目２３）
上記少なくとも１つのコンピュータは、上記複数の領域それぞれのうち、上記指定基準を満たすものを特定するようにプログラムされる、項目２２に記載の装置。
（項目２４）
上記少なくとも１つのコンピュータは、上記複数の領域のうち、上記指定基準を満たすものとして特定されたものそれぞれに少なくとも１つのスカラー値を割り当て、上記複数の領域のうち、上記指定基準を満たさないものそれぞれに少なくとも１つの異なるスカラー値を割り当てて、上記少なくとも１つのフィーチャに基づいて上記幾何学的表現からスカラー場表現を生成するようにプログラムされる、項目２３に記載の装置。
（項目２５）
上記少なくとも１つのコンピュータは、上記スカラー場表現上の初期境界を初期化するステップと、上記血管系の上記部分の境界を示す最終境界に到着するような関数に従って、上記初期境界を展開するステップとを行うようにプログラムされる、項目２４に記載の装置。
（項目２６）
上記最終境界は、上記血管系の上記部分の境界の幾何学的表現を決定するように分析される、項目２５に記載の装置。
（項目２７）
上記１つ以上の値は、上記少なくとも１つのフィーチャの密度を示す少なくとも１つの値を含み、上記基準は密度閾値を含む、項目２２に記載の装置。
（項目２８）
上記少なくとも１つのフィーチャは、血管密度および／または分岐密度を含む、項目２７に記載の装置。
（項目２９）
上記１つ以上の値は、血管曲率、血管屈曲度および／または血管方位のうち１つ以上の尺度を含む、項目２８に記載の装置。
（項目３０）
上記血管系の上記部分は、腫瘍血管系、器官血管系または器官の領域の血管系を含む、項目２１に記載の装置。
（項目３１）
血管系の複数の血管の幾何学的表現を用いて血管分析を行う方法であって、
上記幾何学的表現に基づいて上記血管系の一部の境界を計算するステップと、
上記境界内の上記幾何学的表現を複数の領域に論理的に分割するステップと、
上記境界内の上記複数の領域それぞれについて、少なくとも１つのフィーチャを分析するステップと、
を含む、方法。
（項目３２）
上記幾何学的表現を論理的に分割するステップは、複数のシェルを規定するステップであって、上記複数のシェルはそれぞれ、上記境界からの各距離範囲を規定し、上記境界内の各位置内において、上記対応するシェルの各範囲内の上記境界からの距離を有する、ステップを含む、項目３１に記載の方法。
（項目３３）
上記複数のシェルそれぞれについて、上記少なくとも１つのフィーチャの少なくとも１つの評価を行うステップをさらに含む、項目３２に記載の方法。
（項目３４）
上記少なくとも１つの評価は、上記複数のシェルそれぞれについて、上記少なくとも１つのフィーチャの少なくとも１つの密度評価を行うステップを含む、項目３３に記載の方法。
（項目３５）
上記少なくとも１つの密度評価は、血管密度および／または分岐密度に基づいた少なくとも１つの評価を含む、項目３４に記載の方法。
（項目３６）
上記少なくとも１つの評価は、血管曲率、血管屈曲度、血管方位および／または血管長さを評価するステップを含む、項目３３に記載の方法。
（項目３７）
上記複数の領域それぞれについて少なくとも１つのフィーチャを分析するステップは、上記少なくとも１つのフィーチャについて少なくとも１つの値を決定するステップと、上記少なくとも１つの値を指定基準と比較するステップとを含む、項目３１に記載の方法。
（項目３８）
上記少なくとも１つの値は、上記少なくとも１つのフィーチャの密度を示す少なくとも１つの値を含む、項目３７に記載の方法。
（項目３９）
上記密度を示す少なくとも１つの値は、血管密度を示す少なくとも１つの値および／または分岐密度を示す少なくとも１つの値を含む、項目３８に記載の方法。
（項目４０）
上記少なくとも１つの値は、上記複数の領域それぞれについて、血管曲率、血管屈曲度、血管方位および／または血管長さを示す少なくとも１つの値を含む、項目３７に記載の方法。
（項目４１）
上記血管系の上記部分は、腫瘍血管系、器官血管系または器官の領域の血管系を含む、項目３１に記載の方法。
（項目４２）
命令でコードされた、コンピュータによる読み出しが可能な少なくとも１つの媒体であって、上記命令は、少なくとも１つのプロセッサ上において実行されると、血管系の複数の血管の幾何学的表現を用いて血管分析を行う方法を行い、上記方法は、
上記幾何学的表現に基づいて上記血管系の一部の境界を計算するステップと、
上記境界内の上記幾何学的表現を複数の領域に論理的に分割するステップと、
上記境界内の上記複数の領域それぞれについて、少なくとも１つのフィーチャを分析するステップと、
を含む、コンピュータによる読み出しが可能な少なくとも１つの媒体。
（項目４３）
上記幾何学的表現を論理的に分割するステップは、複数のシェルを規定するステップであって、上記複数のシェルはそれぞれ、上記境界からの各距離範囲を規定し、上記境界内の各位置内において、上記対応するシェルの各範囲内の上記境界からの距離を有する、ステップを含む、項目４２に記載の、コンピュータによる読み出しが可能な少なくとも１つの媒体。
（項目４４）
上記複数のシェルそれぞれについて、上記少なくとも１つのフィーチャの少なくとも１つの評価を行うステップをさらに含む、項目４３に記載の、コンピュータによる読み出しが可能な少なくとも１つの媒体。
（項目４５）
上記少なくとも１つの評価は、上記複数のシェルそれぞれについて、上記少なくとも１つのフィーチャの少なくとも１つの密度評価を行うステップを含む、項目４４に記載の、コンピュータによる読み出しが可能な少なくとも１つの媒体。
（項目４６）
上記少なくとも１つの密度評価は、血管密度および／または分岐密度に基づいた少なくとも１つの評価を含む、項目４５に記載の、コンピュータによる読み出しが可能な少なくとも１つの媒体。
（項目４７）
上記少なくとも１つの評価は、血管曲率、血管屈曲度、血管方位および／または血管長さを評価するステップを含む、項目４３に記載の、コンピュータによる読み出しが可能な少なくとも１つの媒体。
（項目４８）
上記複数の領域それぞれについて少なくとも１つのフィーチャを分析するステップは、上記少なくとも１つのフィーチャについて少なくとも１つの値を決定するステップと、上記少なくとも１つの値を指定基準と比較するステップとを含む、項目４２に記載の、コンピュータによる読み出しが可能な少なくとも１つの媒体。
（項目４９）
上記少なくとも１つの値は、上記少なくとも１つのフィーチャの密度を示す少なくとも１つの値を含む、項目４８に記載の、コンピュータによる読み出しが可能な少なくとも１つの媒体。
（項目５０）
上記密度を示す少なくとも１つの値は、血管密度を示す少なくとも１つの値および／または分岐密度を示す少なくとも１つの値を含む、項目４９に記載の、コンピュータによる読み出しが可能な少なくとも１つの媒体。
（項目５１）
上記少なくとも１つの値は、上記複数の領域それぞれについて、血管曲率、血管屈曲度、血管方位および／または血管長さを示す少なくとも１つの値を含む、項目４８に記載の、コンピュータによる読み出しが可能な少なくとも１つの媒体。
（項目５２）
上記血管系の上記部分は、腫瘍血管系、器官血管系または器官の領域の血管系を含む、項目４２に記載の、コンピュータによる読み出しが可能な少なくとも１つの媒体。
（項目５３）
血管系の複数の血管の幾何学的表現を用いて血管分析を行う装置であって、
上記幾何学的表現を記憶する、少なくとも１つの記憶媒体と、
上記少なくとも１つの記憶媒体にアクセスして上記幾何学的表現を処理することが可能な少なくとも１つのコンピュータであって、上記少なくとも１つのコンピュータは、
上記幾何学的表現に基づいて、上記血管系の一部の境界を計算するステップと、
上記境界内の上記幾何学的表現を複数の領域に論理的に分割するステップと、
上記境界内の上記複数の領域それぞれについて、少なくとも１つのフィーチャを分析するステップと、
を行うようにプログラムされる、少なくとも１つのコンピュータと、
を含む、装置。
（項目５４）
上記少なくとも１つのコンピュータは、複数のシェルを規定するようにプログラムされ、上記複数のシェルはそれぞれ、上記境界からの各距離を規定し、上記境界内の各位置内において、上記対応するシェルの各範囲内の上記境界からの距離を有する、項目５３に記載の装置。
（項目５５）
上記少なくとも１つのコンピュータは、上記複数のシェルそれぞれについて、上記少なくとも１つのフィーチャの少なくとも１つの評価を行うようにプログラムされる、項目５４に記載の装置。
（項目５６）
上記少なくとも１つのコンピュータは、上記複数のシェルそれぞれについて、上記少なくとも１つのフィーチャの少なくとも１つの密度評価を行うようにプログラムされる、項目５５に記載の装置。
（項目５７）
上記少なくとも１つの密度評価は、血管密度および／または分岐密度に基づいた少なくとも１つの評価を含む、項目５６に記載の装置。
（項目５８）
上記少なくとも１つのコンピュータは、血管曲率、血管屈曲度、血管方位および／または血管長さを評価するようにプログラムされる、項目５５に記載の装置。
（項目５９）
上記少なくとも１つのコンピュータは、上記少なくとも１つのフィーチャについて少なくとも１つの値を決定するステップと、上記少なくとも１つの値を指定基準と比較するステップとを行うようにプログラムされる、項目５３に記載の装置。
（項目６０）
上記少なくとも１つの値は、上記少なくとも１つのフィーチャの密度を示す少なくとも１つの値を含む、項目５９に記載の装置。
（項目６１）
上記密度を示す少なくとも１つの値は、血管密度を示す少なくとも１つの値および／または分岐密度を示す少なくとも１つの値を含む、項目６０に記載の装置。
（項目６２）
上記少なくとも１つの値は、上記複数の領域それぞれについて、血管曲率、血管屈曲度、血管方位および／または血管長さを示す少なくとも１つの値を含む、項目５９に記載の装置。
（項目６３）
上記血管系の上記部分は、腫瘍血管系、器官血管系または器官の領域の血管系を含む、項目５３に記載の装置。
（項目６４）
共通する１つ以上の血管フィーチャによって規定された患者から組織を外科的に除去する方法であって、（ａ）項目１に記載の方法を用いて、上記共通する１つ以上の血管フィーチャによって規定された上記組織の体積を規定する境界を特定するステップと、（ｂ）ステップ（ａ）において特定された上記体積全体を含むように、患者から組織を外科的に除去するステップとを含む、方法。
（項目６５）
上記組織は固形腫瘍であり、上記方法は、上記腫瘍を上記患者から切除するために用いられる、項目６５に記載の方法。
（項目６６）
上記組織は、異常血管新生または不要な血管新生を有する組織であり、上記方法は、上記腫瘍を上記患者から除去するために用いられる、項目６４に記載の方法。
（項目６７）
血管ホットスポット、壊死領域および／または血管新生化組織中の正常な血管密度の領域を特定する方法であって、
上記血管新生化組織中のバイオマーカーを評価するステップであって、上記バイオマーカーは、
血管新生化組織の規定領域の血管密度値、
を含む、ステップ、
を含み、
上記値が第１の基準または比較参照用値よりも高い場合、上記領域を血管ホットスポットとして表示し、
上記値が第２の基準または比較参照用値よりも低い場合、上記領域を壊死しているものとして表示し、
上記値が上記第１の基準および第２の基準または比較参照用値の範囲内である場合、上記領域を正常な血管密度のものとして表示する、
方法。
（項目６８）
上記血管密度値は、微小血管密度（ＭＶＤ）の値である、項目６７に記載の方法。
（項目６９）
上記血管密度値は、平均微小血管密度（ｍＭＶＤ）の値である、項目６７に記載の方法。
（項目７０）
上記血管密度値は、血管体積密度（ＶＶＤ）の値である、項目６７に記載の方法。
（項目７１）
上記血管密度値は、平均血管体積密度（ｍＶＶＤ）の値である、項目６７に記載の方法。
（項目７２）
上記血管新生化組織は少なくとも部分的に悪性である、項目６７〜７１のいずれかに記載の方法。
（項目７３）
上記血管新生化組織の規定領域は、少なくとも部分的に腫瘍の一部である、項目６７〜７２のいずれかに記載の方法。
（項目７４）
血管新生化悪性および／または腫瘍組織の境界を特定する方法であって、
血管新生化組織中の機能血管系を特定するステップと、
上記血管系中のバイオマーカーを評価するステップと、
上記バイオマーカーの値が遷移する組織領域を検出するステップであって、上記領域は、上記血管新生化組織の３Ｄ境界を規定する、ステップと、
を含む、方法。
（項目７５）
血管新生化悪性および／または腫瘍組織の境界を特定する方法であって、
上記血管新生化組織中の上記機能血管を特定するステップと、
上記血管新生化組織中のバイオマーカーを評価するステップであって、上記バイオマーカーは、
血管新生化組織の規定領域の血管密度値、
を含む、ステップと、
を含み、
上記値が第１の基準または比較参照用値よりも高い場合、上記領域を血管ホットスポットとして表示し、
上記値が第２の基準または比較参照用値よりも低い場合、上記領域を壊死しているものとして表示し、
上記値が上記第１の基準および第２の基準または比較参照用値の範囲内である場合、上記領域を正常な血管密度のものとして表示する、
方法。
（項目７６）
画像ガイド下の放射線治療方法であって、
一定投与量の電離放射線を悪性組織に投与するステップであって、上記悪性組織の位置は、項目７５の方法によって確立された３Ｄ腫瘍境界によって規定され、ホットスポットを有する上記３Ｄ境界によって規定された上記腫瘍体積の内部部分のみに投与を行い、ホットスポットが存在しない場合、機能血管系が未だ存在する領域に投与を行う、ステップ、
を含む、方法。
（項目７７）
画像ガイド下の放射線治療方法であって、
項目６７〜７４のうちのいずれかの方法を用いて、腫瘍中の血管ホットスポット、壊死領域および／または正常な血管密度の領域を特定するステップと、
一定投与量の電離放射線を上記腫瘍中の血管ホットスポットに特に送達するステップと、
を含む、方法。
（項目７８）
上記腫瘍の上記血管系に対する上記電離放射線の得られた効果を評価するステップをさらに含む、項目７６または７７かに記載の方法。
（項目７９）
評価するステップは、項目６７〜７４のいずれかに記載の方法を用いて、腫瘍中の血管ホットスポット、壊死領域および／または正常な血管密度の領域を特定するステップを含む、項目７６〜７８のいずれかに記載の方法。
（項目８０）
上記腫瘍の上記血管系に対する所望の効果が検出されるまで、電離放射線を投与するステップ、
をさらに含む、項目７６〜７９のいずれかに記載の方法。
（項目８１）
上記所望の効果は、項目６７〜７４のうちいずれかに記載のバイオマーカーの値の変化であり、壊死を示す値に対する血管ホットスポットを示す、項目８０に記載の方法。
（項目８２）
画像ガイド下の放射線治療方法であって、
項目６７〜７４のうちいずれかの方法を用いて、腫瘍中の血管ホットスポット、壊死領域および／または正常な血管密度の領域を特定するステップと、
上記腫瘍中の血管ホットスポットに電離放射線ビームを向けるステップと、
上記向けられたビームと共に一定投与量の電離放射線を上記腫瘍に送達するステップと、
を含む、方法。
（項目８３）
上記腫瘍の上記血管系に対する上記電離放射線の得られた効果を評価するステップをさらに含む、項目８２に記載の方法。
（項目８４）
評価するステップは、
項目６７〜７４のうちいずれかの方法を用いて、腫瘍中の血管ホットスポット、壊死領域および／または正常な血管密度の領域を特定するステップを含む、項目８３に記載の方法。
（項目８５）
上記腫瘍の上記血管系に対する所望の効果が検出されるまで、電離放射線を投与するステップをさらに含む、項目８４に記載の方法。
（項目８６）
上記所望の効果は、項目６７〜７４のうちいずれかのバイオマーカーの値の変化であり、壊死を示す値に対する血管ホットスポットを示す、項目８５に記載の方法。
（項目８７）
画像ガイド下の放射線外科手術方法であって、
項目６７〜７４のうちいずれかの方法を用いて、腫瘍中の血管ホットスポット、壊死領域および／または正常な血管密度の領域を特定するステップと、
上記腫瘍中の血管ホットスポットに複数の電離放射線ビームを向けるステップであって、上記ビームは、上記血管ホットスポットの位置において少なくとも部分的に交差する、ステップと、
上記向けられたビームと共に一定投与量の電離放射線を特に上記血管ホットスポットに送達するステップと、
を含む、方法。
（項目８８）
上記血管ホットスポットを包囲する上記組織は、上記血管ホットスポットよりも有意に低い投与量の電離放射線を受け取る、項目８７に記載の方法。
（項目８９）
上記腫瘍の上記血管系に対する上記電離放射線の得られた効果を評価するステップおよび／または上記血管系ホットスポットに対する上記電離放射線の得られた効果を評価するステップをさらに含む、項目８７または８８に記載の方法。
（項目９０）
上記腫瘍の上記血管系に対する所望の効果および／または特に上記血管ホットスポットに対する所望の効果が検出されるまで、電離放射線を投与するステップをさらに含む、項目８７〜８９のいずれかに記載の方法。
（項目９１）
上記所望の効果は、項目６７〜７４のうちいずれかに記載のバイオマーカーの値の変化であり、壊死を示す値に対する血管ホットスポットを示す、項目９０に記載の方法。
（項目９２）
方法であって、
腫瘍を有するものとして診断または指示された対象に対し、腫瘍および／または一定投与量の電離放射線の治療のための薬剤を投与するステップと、
上記腫瘍の上記血管系の第１の評価であって、
上記投与前、上記投与中および／または上記投与後に、血管ホットスポット、壊死領域および／または正常な血管密度の領域を特定するステップ、
を含む、第１の評価と、
上記腫瘍の上記血管系の後続評価であって、
上記投与前、上記投与中および／または上記投与後に、血管ホットスポット、壊死領域、および／または正常な血管密度の領域を項目６７〜７４のうちいずれかの方法によって特定するステップと、
上記第１の評価の結果と上記後続評価の結果とを比較するステップと、
上記腫瘍の上記血管系に対する投与による所望の効果が検出されなかった場合、上記投与を繰り返しかつ／あるいは上記薬剤および／または上記放射線投与量を調節しかつ／あるいは腫瘍の治療において示された異なる薬剤を投与するステップ、ならびに／あるいは、上記腫瘍の上記血管系に対する投与による所望の効果が検出されなかた場合、上記投与を終了するステップ、
を含む、後続評価と、
を含む、方法。
（項目９３）
上記所望の効果は、項目６７〜７４のうちいずれかに記載のバイオマーカーの値の変化であり、壊死を示す値に対する血管ホットスポットを示す、項目９２に記載の方法。
（項目９４）
所望の効果が検出されなかった場合、上記評価に基づいて、上記薬剤および／または上記放射線の投与量を調節するステップをさらに含む、項目９２または９３に記載の方法。
（項目９５）
所望の効果が検出されなかった場合、異なる薬剤および／またはさらなる薬剤を投与するステップをさらに含む、項目９４のいずれかに記載の方法。
（項目９６）
画像ガイド下の放射線治療方法であって、上記方法は、特に腫瘍の母血管に一定投与量の電離放射線を向けるステップを含む、方法。
（項目９７）
画像ガイド下の放射線治療方法であって、
腫瘍の血管系を周囲組織の血液供給に接続する母血管の位置を特定するステップと、
特に上記母血管に一定投与量の電離放射線を向けるステップと、
を含む、方法。
（項目９８）
画像ガイド下の放射線治療方法であって、
腫瘍の血管系を周囲組織の血液供給に接続する母血管の位置を特定するステップと、
特に上記母血管に一定投与量の電離放射線を向けるステップと、
その結果得られた、上記血管に対する上記電離放射線による効果を評価するステップと、
を含む、方法。
（項目９９）
画像ガイド下の放射線治療方法であって、
腫瘍の血管系を周囲組織の血液供給に接続する母血管の位置を特定するステップと、
特に上記母血管に一定投与量の電離放射線を送達するステップと、
その結果得られた、上記血管に対する上記電離放射線による効果を評価するステップと、
上記母血管に対する所望の効果が検出されるまで、一定投与量の放射線の送達を繰り返すステップと、
を含む、方法。
（項目１００）
画像ガイド下の放射線治療方法であって、
腫瘍の血管系を画像化するステップと、
上記血管系の３Ｄモデルを生成するステップと、
上記腫瘍の上記血管系を周囲組織の血液供給に接続する母血管の位置を特定するステップと、
この位置情報を用いて、電離放射線ビームを特に上記母血管に向けるステップと、
一定投与量の上記電離放射線を特に上記母血管に送達するステップと、
その結果得られた、上記血管に対する上記電離放射線による効果を評価するステップと、
上記母血管に対する所望の効果が検出されるまで、一定投与量の放射線の送達を繰り返すステップと、
を含む、方法。
（項目１０１）
画像ガイド下の放射線外科手術方法であって、
腫瘍の血管系を画像化するステップと、
上記血管系の３Ｄモデルを生成するステップと、
上記腫瘍の上記血管系を周囲組織の血液供給に接続する母血管の位置を特定するステップと、
この位置情報を用いて、複数の電離放射線ビームを特に上記母血管に向けるステップであって、上記ビームは、上記母血管の位置において少なくとも部分的に交差する、ステップと、
一定投与量の上記電離放射線を特に上記母血管に送達するステップであって、上記母血管を包囲する上記組織は、上記母血管よりもずっと低い投与量の電離放射線を受け取る、ステップと、
その結果得られた、上記血管に対する上記電離放射線による効果を評価するステップと、
上記母血管に対する所望の効果が検出されるまで、一定投与量の放射線の送達を繰り返すステップと、
を含む、方法。